(57)【特許請求の範囲】
【請求項１】
入力画像信号に基づく画像の色判別を行う判別手段と、
前記判別手段での色判別結果に基づいた色の輝度基準画像の画像信号を生成する信号生成手段と、
前記入力画像信号と前記輝度基準画像の画像信号を用いて、前記入力画像信号に基づく表示画像と前記輝度基準画像を合わせて画像表示装置に表示する画像の画像信号を生成する混合手段とを有する
ことを特徴とする画像表示制御装置。
【請求項２】
前記判別手段では、最も多い色を判別するものとし、
前記信号生成手段では、前記判別手段で判別された色で前記輝度基準画像を表示させる画像信号を生成する
ことを特徴とする請求項１記載の画像表示制御装置。
【請求項３】
前記信号生成手段で前記輝度基準画像の画像信号を生成するための設定情報を記憶する記憶手段を設けた
ことを特徴とする請求項１記載の画像表示制御装置。
【請求項４】
入力画像信号に基づく画像の色判別を行うものとし、
前記色判別の結果に基づいた色の輝度基準画像の画像信号を生成し、
前記入力画像信号と前記輝度基準画像の画像信号を用いて、前記入力画像信号に基づく表示画像と前記輝度基準画像を合わせて画像表示装置に表示する画像の画像信号の生成を行う
ことを特徴とする画像表示制御方法。
【請求項５】
前記色判別で最も多い色を判別するものとし、
前記判別された色で前記輝度基準画像を表示させる画像信号を生成する
ことを特徴とする請求項４記載の画像表示制御方法。
【請求項６】
前記輝度基準画像の画像信号を生成するための設定情報を記憶する
ことを特徴とする請求項４記載の画像表示制御方法。
【請求項７】
被写体を撮影して撮影画像信号を生成する撮影画像信号生成手段と、
前記撮影画像信号に基づく画像の色判別を行う判別手段と、
前記判別手段での色判別結果に基づいた色の輝度基準画像の画像信号を生成する信号生成手段と、
前記撮影画像信号と前記輝度基準画像の画像信号を用いて、前記撮影画像信号に基づく表示画像と前記輝度基準画像を合わせて画像表示装置に表示する画像の画像信号を生成する混合手段とを有する
ことを特徴とする撮像装置。
【請求項８】
前記判別手段では、最も多い色を判別するものとし、
前記信号生成手段では、前記判別手段で判別された色で前記輝度基準画像を表示させる画像信号を生成する
ことを特徴とする請求項７記載の撮像装置。
【請求項９】
前記信号生成手段で前記輝度基準画像の画像信号を生成するための設定情報を記憶する記憶手段を設けた
ことを特徴とする請求項７記載の撮像装置。
【発明の詳細な説明】
【０００１】
【発明の属する技術分野】
この発明は画像表示制御装置と画像表示制御方法及び撮像装置に関する。詳しくは、入力画像信号や撮影画像信号に輝度判別の基準となる輝度基準画像の画像信号を用いて、入力画像信号に基づく表示画像や撮影画像と輝度基準画像を合わせて表示することで、撮影画像の明るさの確認等を容易に行えるようにするものである。
【０００２】
【従来の技術】
テレビジョン番組制作等では、番組の撮影や編集及び送出等のディジタル化が図られているが、ディジタル技術の進展に伴う高画質化や機器の低価格化に伴い、映画製作等においてもディジタル化が進められており、例えばフィルムに撮影画像を記録するフィルムカメラに代えて、撮影画像の画像信号を得るビデオカメラが用いられている。
【０００３】
ここで、フィルムカメラを用いる場合、効果的な演出を行うためだけでなく、フィルムカメラのビューファインダー上の画像とフィルムに記録された画像とで輝度レベルが異なることから、照度計を用いて被写体の受光量を測定して露出を調整する操作が行われている。また、ビデオカメラを用いる場合にも、ビデオカメラのダイナミックレンジはフィルムカメラに比べて狭く、被写体の受光量の差が与える影響が大きいことから、照度計を用いて被写体の受光量を精度良く管理することが行われている。
【０００４】
【発明が解決しようとする課題】
ところで、撮像装置例えばビデオカメラを用いる場合、陰極線管等の画像表示デバイスを用いて構成された画像表示装置である電子ビューファインダーの画面上に撮影画像が表示される。また、電子ビューファインダーでは、表示画像の輝度やコントラストが調整可能とされており、撮影毎及び各ビデオカメラ毎に、表示画像の輝度やコントラストが一定となるように例えば波形モニタ装置を用いて調整が行われる。
【０００５】
このため、撮影が長時間・長期間に渡る場合や、撮影に用いられるビデオカメラの台数が多いと、調整のための時間や労力が多大となると共に、調整のための機器も多く必要となってしまう。
【０００６】
また、屋外撮影では天候の変化や時間の経過と共に被写体の受光量が変化してしまう。このため、所望の撮影画像を得るためには、多数点の受光量を度々測定して、測定結果に基づきビデオカメラの絞り調整等を行う必要があり、効率よく撮影を行うことができない。
【０００７】
そこで、この発明では、画像表示装置の輝度やコントラストの調整を容易に行うことができると共に、撮影画像の明るさを容易に確認できる画像表示制御装置と画像表示制御方法及び撮像装置を提供するものである。
【０００８】
【課題を解決するための手段】
この発明に係る画像表示制御装置は、入力画像信号に基づく画像の色判別を行う判別手段と、前記判別手段での色判別結果に基づいた色の輝度基準画像の画像信号を生成する信号生成手段と、前記入力画像信号と前記輝度基準画像の画像信号を用いて、前記入力画像信号に基づく表示画像と前記輝度基準画像を合わせて画像表示装置に表示する画像の画像信号を生成する混合手段とを有するものである。また、信号生成手段で輝度基準画像の画像信号を生成するための設定情報を記憶する記憶手段を設けたものである。
【０００９】
また、この発明に係る画像表示制御方法は、入力画像信号に基づく画像の色判別を行うものとし、前記色判別の結果に基づいた色の輝度基準画像の画像信号を生成し、前記入力画像信号と前記輝度基準画像の画像信号を用いて、前記入力画像信号に基づく表示画像と前記輝度基準画像を合わせて画像表示装置に表示する画像の画像信号の生成を行うものである。
【００１０】
さらに、この発明に係る撮像装置は、被写体を撮影して撮影画像信号を生成する撮影画像信号生成手段と、撮像画像信号に基づく画像の色判別を行う判別手段と、判別手段での色判別結果に基づいた色の輝度基準画像の画像信号を生成する信号生成手段と、撮像画像信号と輝度基準画像の画像信号を用いて、撮像画像信号に基づく表示画像と輝度基準画像を合わせて画像表示装置に表示する画像の画像信号を生成する混合手段とを有するものである。また、信号生成手段で輝度基準画像の画像信号を生成するための設定情報を記憶する記憶手段を設けたものである。
【００１１】
この発明においては、例えばビデオカメラで被写体を撮影して得られた撮影画像信号に、輝度判別の基準となる輝度基準画像の画像信号が混合されて、電子ビューファインダー等の画像表示装置の画面上に、撮影画像と輝度基準画像が合わせて表示される。この輝度基準画像は、所定の階調を示す連続的輝度基準画像、撮影時に好適な所望の階調を示す撮影輝度基準画像、画像表示装置の輝度やコントラストの調整に用いる高輝度調整用と低輝度調整用の輝度基準画像の少なくとも１つを有するものとされる。ここで、画像表示装置の輝度やコントラストの調整に用いる高輝度調整用と低輝度調整用の輝度基準画像の階調差は、連続的輝度基準画像等よりも小さいものとされる。また、撮影画像信号の信号判別、例えばアスペクト比や色の判別が行われて、電子ビューファインダーの画面上に撮影画像を表示したときに画像の無い領域が生じるときには、この画像の無い領域に輝度基準画像が表示され、画像の無い領域が無いときには例えば撮影画像に重畳して表示される。また、撮影画像を縮小することで画像の無い領域を設けて、この領域に輝度基準画像が設けられる。また、表示された撮影画像や輝度基準画像で所望の輝度領域には、輝度識別画像が重畳して表示される。さらに、撮影画像と輝度基準画像との位置関係が変更可能とされて、輝度基準画像を撮影画像上の所望の位置に移動可能とされる。また、撮影画像がカラー画像であるときには、撮影画像で最も多く存在する色や、撮影画像中の所望の被写体色を用いて輝度基準画像が表示される。さらに、どのような輝度基準画像を表示させるか等の輝度基準画像の設定に関する情報が記憶手段に記憶される。
【００１２】
【発明の実施の形態】
以下、図を参照しながら、この発明の実施の一形態について説明する。図１は、この発明に係る撮像装置、例えばビデオカメラの構成を示している。
【００１３】
撮像レンズ系１０を通して入射された光は、本線系ブロック１１を構成する撮像部１２に入射されて、撮像面上に被写体画像が結像される。撮像部１２は固体撮像素子例えばＣＣＤを用いて構成されており、光電変換によって被写体画像に応じた三原色の撮像信号Ｓpaを生成してＣＤＳ（corelated double sampling）／ＡＧＣ１３に供給する。
【００１４】
ＣＤＳ／ＡＧＣ１３では、相関二重サンプリング処理を行い、撮像信号Ｓpａからノイズ成分を除去する。さらにノイズ成分を除去した信号を所定の信号レベルに増幅して撮像信号Ｓpbとして低域フィルタ１４に供給する。低域フィルタ１４では、ＣＤＳ／ＡＧＣ１３から供給された撮像信号Ｓpbから、原信号スペクトル成分を取り出して撮像信号Ｓpcとしてアンプ１５に供給する。アンプ１５では供給された撮像信号Ｓpcを増幅して撮像信号ＳpdとしてＡ／Ｄ変換器１６に供給する。Ａ／Ｄ変換器１６では、供給された撮像信号Ｓpdをディジタルの撮像信号Ｄpに変換してカメラ信号処理部２０に供給する。
【００１５】
カメラ信号処理部２０では、良好な撮像画像を得ることが出来るように、供給された撮像信号Ｄpに対して信号処理を行う。例えば、シェーディング補正やマスキング補正、ニー補正、γ補正、輪郭補償等の信号処理を行い、撮像信号Ｄpから画像信号Ｄqを生成してセレクタ２５とモニタ系ブロック３０の画像表示制御部３１に供給する。
【００１６】
画像表示制御部３１では、撮影画像の輝度を判別するための基準となる輝度基準画像の画像信号Ｄrを生成すると共に、この画像信号Ｄrとカメラ信号処理部２０から供給された画像信号Ｄqを用いて、撮影画像と輝度基準画像が合わせて表示される画像信号を生成する。さらに生成された画像信号に対して信号処理、例えば輝度やコントラスト調整等の処理を行い、得られた画像信号Ｄuをモニタ出力処理部３５と本線系ブロック１１のセレクタ２５に供給する。
【００１７】
図２は、画像表示制御部３１の構成を示している。カメラ信号処理部２０から供給された画像信号Ｄqは判別回路３１１と混合回路３１３に供給される。判別回路３１１では、画像信号Ｄqの信号判別を行う。この信号判別では、画像信号Ｄqの信号フォーマットや画像信号Ｄqに基づく撮影画像の色判別を行い、判別結果を示す判別信号Ｈaを生成して後述する制御部５０に供給する。
【００１８】
また、画像表示制御部３１には輝度基準信号生成回路３１２が設けられており、この輝度基準信号生成回路３１２では、後述する制御部５０から供給された制御信号ＣＴrに基づき、判別回路３１１で判別された画像信号Ｄqの信号フォーマットや色に対応させて、撮影画像の輝度を判別するための基準となる輝度基準画像の画像信号Ｄrを生成する。この輝度基準信号生成回路３１２で生成された輝度基準画像の画像信号Ｄrは混合回路３１３に供給される。
【００１９】
混合回路３１３では、制御部５０からの制御信号ＣＴmに基づき、撮影画像の画像信号Ｄqと輝度基準画像の画像信号Ｄrを用いて撮影画像と輝度基準画像を合わせて表示する画像信号Ｄsを生成して、輝度／コントラスト調整回路３１４に供給する。例えば、画像信号Ｄqの一部を画像信号Ｄqに換えてあるいは画像信号Ｄqに画像信号Ｄrを追加する等の処理を行い画像信号Ｄsを生成し、この画像信号Ｄsを輝度／コントラスト調整回路３１４に供給する。
【００２０】
輝度／コントラスト調整回路３１４では、所望の輝度及びコントラストの表示画像を得ることが出来るように、制御部５０から供給された制御信号ＣＴbcに基づいて、混合回路３１３から供給された画像信号Ｄsの信号レベルを調整する。この輝度／コントラスト調整回路３１４で信号レベルの調整が行われた画像信号Ｄsは、画像信号Ｄtとして識別表示信号重畳回路３１５に供給される。
【００２１】
識別表示信号重畳回路３１５では、輝度／コントラスト調整回路３１４から供給された画像信号Ｄtの信号レベルと、制御部５０から供給された制御信号ＣＴzに基づいて設定した所望の輝度範囲を示す範囲設定信号レベルとを比較する。ここで、画像信号Ｄtの信号レベルが範囲設定信号レベルで示された範囲内であるとき、所望の輝度範囲であることを容易に識別可能とする識別表示信号、例えば所望の輝度範囲であることを縞模様表示とするゼブラ信号を画像信号Ｄtに重畳させる。この識別表示信号重畳回路３１５で識別表示信号の重畳処理が行われた画像信号Ｄtは、画像信号Ｄuとして図１のモニタ出力処理部３５と本線系ブロック１１のセレクタ２５に供給される。
【００２２】
セレクタ２５では、制御部５０からの制御信号に基づき、カメラ信号処理部２０から供給された画像信号Ｄq、あるいは画像表示制御部３１から供給された画像信号Ｄuのいずれかを選択してカメラ出力処理部２８に供給する。
【００２３】
カメラ出力処理部２８では、セレクタ２５から供給された画像信号Ｄqあるいは画像信号Ｄuを、ビデオカメラに接続される機器に応じた信号ＣＭoutに変換して出力する。例えば、コンポーネント信号に対応した機器やコンポジット信号に対応した機器が接続される場合には、それぞれの機器に応じた信号ＣＭoutに変換して出力する。またＳＭＰＴＥ２５９Ｍとして規格化されているシリアルディジタルインタフェース等を介して画像信号を伝送する場合には、セレクタ２５から供給された画像信号を用いてインタフェース規格に応じた伝送データを生成して信号ＣＭoutとして出力する。
【００２４】
モニタ出力処理部３５では、画像表示制御部３１の識別表示信号重畳回路３１５から供給された画像信号Ｄuを、撮影画像モニタ用の画像表示装置、例えば電子ビューファインダに応じた信号ＭＴoutに変換して出力する。例えば画像表示装置がアナログ信号を用いるものであるときには、画像信号Ｄuをアナログ信号に変換して信号ＭＴoutとして出力する。
【００２５】
制御部５０には、操作部５１が接続されており、操作部５１をビデオカメラのユーザが操作すると、ユーザ操作に応じた操作信号ＰＳが操作部５１から制御部５０に供給される。制御部５０では、この操作信号ＰＳに基づき各種の制御信号ＣＴを生成して、ビデオカメラの本線系ブロック１１やモニタ系ブロック３０に供給することで、ユーザ操作に応じてビデオカメラを動作させる。また、制御部５０には、上述したように判別回路３１１から判別信号Ｈaが供給されており、この判別信号Ｈaや操作信号ＰＳに基づき制御信号ＣＴr，ＣＴm，ＣＴbc，ＣＴzを生成してモニタ系ブロック３０に供給する。
【００２６】
次に動作について説明する。図３は、輝度基準信号生成回路で生成された画像信号Ｄrに基づく輝度基準画像の一形態を示している。表示画面の左側には、例えば低輝度から高輝度までを段階的に所定の輝度差を持って表示する連続的輝度基準画像が表示される。なお、図では例えば輝度レベル「０％（０IRE）〜１１０％(１１０IRE)」までを１０％（１０IRE）毎に段階的に表示した場合を示している。また、連続的輝度基準画像内には輝度レベルの目安となる仕切表示を設けることで、いずれの表示がどの位の輝度レベルであるかを容易に判別できる。例えば輝度レベル「５０％」と輝度レベル「６０％」の表示の境界を示す仕切表示、及び輝度レベル「１００％」と輝度レベル「１１０％」の表示の境界を示す仕切表示を設けることで、連続的輝度基準画像の各輝度レベルを容易に判別できる。
【００２７】
表示画面の右側には、例えば複数の高輝度調整用輝度基準画像と複数の低輝度調整用輝度基準画像が表示される。この複数の高輝度調整用輝度基準画像では、隣接する高輝度調整用輝度基準画像との輝度差が少ないものとされている。同様に、複数の低輝度調整用輝度基準画像では、隣接する低輝度調整用輝度基準画像との輝度差が少ないものとされている。ここで、各ビデオカメラでは、複数の高輝度調整用輝度基準画像において、輝度差を判別できる輝度基準画像の位置が等しくなるように輝度／コントラスト調整回路３１４で画像信号Ｄsの信号レベルを調整する。また、複数の低輝度調整用輝度基準画像において、輝度差を判別できる輝度基準画像の位置が等しくなるように輝度／コントラスト調整回路３１４で画像信号Ｄsの信号レベルを調整する。例えば、高輝度調整用輝度基準画像ＰＲＨ-1と高輝度調整用輝度基準画像ＰＲＨ-2との輝度差は判別できず、高輝度調整用輝度基準画像ＰＲＨ-2と高輝度調整用輝度基準画像ＰＲＨ-3との輝度差は判別可能とし、低輝度調整用輝度基準画像ＰＲＬ-3と低輝度調整用輝度基準画像ＰＲＬ-2との輝度差は判別できず、低輝度調整用輝度基準画像ＰＲＬ-2と低輝度調整用輝度基準画像ＰＲＬ-1との輝度差は判別可能となるように調整を行う。このように、高輝度調整用輝度基準画像と低輝度調整用輝度基準画像において、輝度差を判別できる輝度基準画像の位置が等しくなるように、輝度／コントラスト調整回路３１４で画像信号Ｄsの信号レベルの調整を各ビデオカメラで行うことにより、信号ＭＴoutに基づいて撮影画像をモニタするための画像表示装置、例えば電子ビューファインダーにおける輝度やコントラストの特性を等しくできる。
【００２８】
高輝度調整用輝度基準画像ＰＲＨと低輝度調整用輝度基準画像ＰＲＬとの間には、撮影者の使用頻度の高い所望の階調を示す撮影輝度基準画像を表示する。例えば肌色部分の輝度レベルを適正な輝度レベルに調整できるように、所望の輝度範囲を段階的に所望の輝度差を持って表示する撮影輝度基準画像を表示する。このように、撮影者の使用頻度が高い輝度レベルに応じた撮影輝度基準画像を表示することで、この撮影輝度基準画像を利用して、撮影時に被写体の輝度が所望の輝度レベルとなるように撮影条件の調整を簡単に行うことができる。
【００２９】
なお、高輝度調整用輝度基準画像と撮影輝度基準画像との間、及び低輝度調整用輝度基準画像と撮影輝度基準画像との間に仕切表示を設けるものとすれば、高輝度調整用輝度基準画像と低輝度調整用輝度基準画像及び撮影輝度基準画像を簡単に区分できる。
【００３０】
また、図３に示す輝度基準画像での輝度レベル範囲や階調数、輝度レベルの表示位置や表示形状等は例示的なものであり、限定的なものでないことは勿論である。さらに、輝度基準画像の階調数や輝度レベル等は、予め設定しておくものとしても良く、また撮影画像に応じて輝度基準画像を変更するものとしても良い。例えば、撮影画像に於ける全画素の平均値や標準偏差を算出して、輝度基準画像の輝度レベル範囲や階調数等を変化させる。この場合、暗い撮影画像では輝度レベルの低い輝度基準画像を表示するものとしたり、輝度レベルの高い輝度基準画像の表示を行わないものとして階調数を少なくする。また、輝度レベルの差が少ない撮影画像では、撮影画像の輝度レベル範囲の輝度基準画像表示を行うと共に、各階調の輝度レベル差を少なくして、詳細な輝度基準画像表示を行うものとする。このように撮影画像に応じて輝度基準画像を変更することで、輝度基準画像を有効かつ効果的に利用できる。
【００３１】
次に、撮影画像と輝度基準画像を合わせて表示する場合の動作について説明する。なお、撮影画像をモニタするために用いる画像表示装置の表示画面は、アスペクト比が例えば「１６：９」であるものとして以下の説明を行う。
【００３２】
図４は、撮影画像の一部を輝度基準画像に置き換えて表示する場合を示している。ここで、判別回路３１１によって判別された撮影画像の画像信号Ｄqの信号フォーマットが、アスペクト比「１６：９」であると制御部５０で判別された場合、制御部５０では判別信号Ｈaに基づき制御信号ＣＴrを生成して輝度基準信号生成回路３１２に供給すると共に、制御信号ＣＴmを生成して混合回路３１３に供給する。
【００３３】
輝度基準信号生成回路３１２では、画像信号Ｄqの信号フォーマットと等しい信号フォーマットであると共に、図３に示す輝度基準画像を表示する画像信号Ｄrを生成して混合回路３１３に供給する。混合回路３１３では、制御信号ＣＴmに基づき表示画面の左側端部側や右側端部側では、画像信号Ｄrを選択し、表示画面の中央部分では画像信号Ｄqを選択する。
【００３４】
この場合、図４に示すように表示画面の左側端部側や右側端部側では、撮影画像に換えて輝度基準画像が表示されるので、この撮影輝度基準画像や連続的輝度基準画像を利用して、被写体が所望の明るさとなるように撮影条件例えば照明や撮像レンズ系１０の絞りを簡単に調整することができる。また、高輝度調整用輝度基準画像や低輝度調整用輝度基準画像を利用して画像表示装置の輝度調整やコントラスト調整を行うことができる。なお、混合回路３１３では、画像信号Ｄqに換えて画像信号Ｄrを選択することにより輝度基準画像を表示するものとしたが、表示画面の左側端部側や右側端部側で画像信号Ｄqに画像信号Ｄrを上書きして輝度基準画像を表示させるものとしても良い。また、画像信号Ｄqに換えて画像信号Ｄrを選択したり画像信号Ｄqに画像信号Ｄrを上書きすることで輝度基準画像を表示するものであることから、輝度基準画像を表示するための構成が簡単である。
【００３５】
ところで、図４に示す場合には、撮影画像の一部が輝度基準画像に置き換えられてしまうため、撮影画角内にどのような被写体が含まれているか判別することができなくなってしまう。このため、表示画面上に撮影画像を表示したときに、画像の無い空き領域が生じるように撮影画像を縮小して表示する。例えば撮影画像を水平方向に圧縮して、撮影画像の左右両側に空き領域を設け、この空き領域に輝度基準画像を表示する。この場合、判別回路３１１では画像信号Ｄqの信号フォーマットを判別して制御部５０に通知し、制御部５０では判別信号Ｈaに基づき撮影画像のアスペクト比と表示画面のアスペクト比が略一致すると判別したときに混合回路３１３の動作を制御して、信号の切り換えあるいは信号の上書きを行うだけでなく、撮影画像の縮小処理を行わせる。例えば画像信号Ｄqに対して水平方向の画素間引き処理を行い、撮影画像を水平方向に圧縮する。
【００３６】
この縮小処理を行った画像信号Ｄqを表示画面の中央部分で選択し、空き領域の部分では輝度基準画像の画像信号Ｄrを選択すると、図５に示すように、表示画面の左側端部側や右側端部側で輝度基準画像を表示させることができると共に、画面中央には撮影画像全体を表示させることができるので、撮影条件や画像表示装置の輝度調整及びコントラスト調整を簡単に行うことができるだけでなく、撮影画角内にどのような被写体が含まれているか正しく判別できる。
【００３７】
次に、撮影画像のアスペクト比と画像表示装置の表示画面のアスペクト比が一致しないときには、撮影画像を画像表示装置の表示画面に表示したときに生じる空き領域を利用して輝度基準画像を表示する。例えば、判別回路３１１によって判別された画像信号Ｄqの信号フォーマットが、表示画面よりも縦長であるアスペクト比「４：３」であると制御部５０で判別された場合、制御部５０では判別信号Ｈaに基づき制御信号ＣＴrを生成して輝度基準信号生成回路３１２に供給すると共に、制御信号ＣＴmを生成して混合回路３１３に供給する。混合回路３１３では、制御信号ＣＴmに基づき表示画面の左側端部側では画像信号Ｄrを選択する。また、この左側端部側の輝度基準画像表示分だけ画像信号Ｄqを遅延させて、表示画面の中央部分の信号として、この遅延された画像信号Ｄqを選択する。さらに、画像信号Ｄqの終了後は画像信号Ｄrを選択する。この場合には、図６に示すように、表示画面の中央にアスペクト比が「４：３」である撮影画像を表示できると共に、撮影画像の左右側の空き領域を有効に活用して輝度基準画像を表示できる。
【００３８】
また、判別回路３１１によって判別された画像信号Ｄqの信号フォーマットが、映画のビスタサイズ「１．８５：１」やシネマスコープサイズ「２．３９：１」のように、表示画面よりも横長であると制御部５０で判別された場合、制御部５０では判別信号Ｈaに基づき制御信号ＣＴrを生成して輝度基準信号生成回路３１２に供給して、輝度基準画像を水平方向に表示する画像信号Ｄrを生成する。混合回路３１３では、制御信号ＣＴmに基づき表示画面の上端部側の所定垂直期間では画像信号Ｄrを選択する。また、この上端部側の所定垂直期間分だけ画像信号Ｄqを遅延させて、画面の中央部分の垂直走査期間では遅延された画像信号Ｄqを選択するものとし、その後、表示画面の下端部側の所定垂直期間では画像信号Ｄrを選択する。この場合には、図７に示すように、表示画面の中央に横長の撮影画像を表示できると共に、撮影画像の上下側に輝度基準画像を表示できる。
【００３９】
さらに輝度基準画像は、図３に示すように、１つの輝度を矩形状表示として示すと共に、輝度が異なる複数の矩形状表示を並べて輝度基準画像を形成したが、１つの輝度を示す表示は矩形状表示に限られるものではなく、他の形状を用いることができる。例えば、図８に示すように、輝度の異なる楕円形状の表示を複数設けるものとしても良い。
【００４０】
ところで、画面上に表示された輝度基準画像と、撮影画像上の所望の被写体とを比較して、被写体の輝度を判別する場合、輝度基準画像と輝度を判別する被写体の位置が離れていると、被写体の輝度を簡単かつ正しく判別することが難しくなってしまう。このため、図２に示す識別表示信号重畳回路３１５では、画像信号Ｄtの信号レベルが所定の輝度範囲内であるとき、識別表示信号を画像信号Ｄtに重畳させて画像信号Ｄuとして図１のモニタ出力処理部３５と本線系ブロック１１のセレクタ２５に供給する。
【００４１】
このため、操作部５１を操作して識別表示を行う輝度範囲を設定したときには、図９に示すように、設定された輝度範囲内の輝度基準画像上に識別表示例えば縞模様表示が重畳される。また、撮影画面上においても設定された輝度範囲内の被写体画像上に識別表示が重畳されるので、被写体の輝度を正しくかつ容易に判別することができる。また、識別表示として縞模様表示を行う場合、従来より用いられているセブラ信号の発生回路を流用することができるので、簡単に識別表示を重畳させることができる。
【００４２】
さらに、輝度基準画像と輝度を判別する被写体の位置が離れているときでも、被写体の輝度を簡単かつ正しく判別することができるように、輝度基準画像の位置あるいは撮影画像の位置を移動可能としても良い。ここで、画像の位置を移動させる場合、撮影画像に比べて表示面積の小さい画像である輝度基準画像を移動させることにより、画像移動のための信号処理量を少なくできる。輝度基準画像の移動では、複数の輝度表示全体を移動しても良く、所望の輝度表示を選択して、この選択した輝度表示のみを図１０に示すように移動可能とすれば、画像の移動のための信号処理量を更に少なくして、効率よく画像の移動を行うことができる。また、所望の輝度の輝度基準画像のみを表示して移動可能としても良い。このようにして、画像を移動可能としたときには、所望の輝度の輝度基準画像と撮影画像の所望の位置とを近接させることができるので、輝度基準画像と輝度を判別する被写体の位置が離れている場合に比べて、簡単かつ正しく輝度判別を行うことができる。
【００４３】
次に、画像表示装置で表示される撮影画像がカラー画像である場合、色の付いた画像では白黒画像の場合に比べて輝度の判別が困難となる。すなわち、輝度基準画像と輝度を判別する被写体の彩度や色相が大きく異なっていると、輝度基準画像と被写体とを比較しても明るさが等しいか否か簡単に判別が困難な場合が生じてしまう。このため、画像表示装置で表示される撮影画像がカラー画像の場合には、図１１に示すように撮影画像に応じた色で輝度基準画像を表示する。ここで、輝度基準画像の色の決定では、例えば撮影画像中に最も多く含まれている色を用いるものとする。この場合、判別回路３１１では、撮影画像の各画素あるいは代表点の画素の色を判別して最も多く用いられている色を制御部５０に通知し、制御部５０では輝度基準信号生成回路３１２の動作を制御して、判別回路３１１で判別された色の連続的輝度基準画像や撮影輝度基準画像の画像信号Ｄrを生成させるものとする。
【００４４】
また、輝度基準画像の色の決定では、例えば撮影者が輝度の調整を行う際に最も重視する色を用いるものとしても良い。この場合、操作部５１を操作して色の指定を行い、制御部５０では輝度基準信号生成回路３１２の動作を制御して、指定された色の連続的輝度基準画像や撮影輝度基準画像の画像信号Ｄrを生成させるものとする。さらに、撮影者が操作部５１を操作して、画像表示装置に表示された撮影画像から輝度を判別したい部分を指定するものとし、制御部５０では撮影者によって指定された位置を判別回路３１１に通知すると共に、判別回路３１１では、指定された位置の色を判別して制御部５０に通知する。その後、制御部５０では、輝度基準信号生成回路３１２の動作を制御して、判別回路３１１で判別された色の連続的輝度基準画像や撮影輝度基準画像の画像信号Ｄrを生成させるものとしても良い。
【００４５】
さらに、撮影画像中に最も多く含まれている色と撮影者が輝度の調整を行う際に最も重視する色の両方を用いて輝度基準画像を表示することもできる。例えば撮影画像中に最も多く含まれている色を用いて連続的輝度基準画像を表示すると共に、撮影者が輝度の調整を行う際に最も重視する色を用いて撮影輝度基準画像を表示するものとする。この場合には、連続的輝度基準画像を用いて背景画像等の輝度を正しく判別できると共に、撮影輝度基準画像を用いて人物の顔の輝度等を正しく判別できる。
【００４６】
また、上述の実施の形態では、判別回路３１１によって画像信号Ｄqに基づき、種々の判別を行い、輝度基準画像の表示を自動的に制御するものとしたが、操作部５１を操作して、輝度基準画像の表示を手動で制御するものとしても良いことは勿論である。
【００４７】
ところで、撮影画像の輝度を判別する場合、どのような被写体を撮影するかあるいはどのような撮影画像を創るかによって、明るい部分を重視した輝度基準画像や暗い部分を重視した輝度基準画像が必要とされるときがある。また、撮影者によって希望する輝度基準画像が異なる場合もある。このような場合、輝度基準画像の階調数や各階調の輝度レベル等をその都度設定すると、操作が煩雑となり速やかに撮影を行うことができなくなってしまう。このため、どのような階調数でどのような輝度レベルの輝度基準画像をどのように表示するかを設定するための輝度基準画像設定情報を、記憶手段例えば図２に示す不揮発性メモリ３１６に記憶させておくものとする。このように記憶手段に輝度基準画像設定情報を記憶させておけば、所望の設定情報を記憶手段から読み出すだけで所望の輝度基準画像を速やかに表示させることができる。また、記憶手段を着脱可能に構成すれば、この記憶手段を他のビデオカメラに装着するだけで、所望の輝度基準画像を表示することが可能となり、使用するビデオカメラを交換する毎に輝度基準画像の階調数や各階調の輝度レベル等を設定する必要が無く、速やかに撮影を開始することができる。
【００４８】
また、上述の実施の形態では、撮影画像の画像信号を得る本線系ブロックと撮影画像を表示するためのモニタ系ブロックを有したビデオカメラについて説明したが、本線系ブロックとモニタ系ブロックを分離して、本線系ブロックをビデオカメラに設け、画像表示装置側にモニタ系ブロックを設けるものとしても良い。この場合、画像表示装置にも制御部５０や操作部５１に相当する構成を設けて、上述のように画像表示制御部３１の動作等を制御する。このように画像表示装置にモニタ系ブロックを設けるものとすれば、輝度基準画像を表示する機能を有していないビデオカメラを用いる場合でも、この画像表示装置を接続するだけで、容易かつ精度良く輝度の判別を行うことが可能となり、機能の向上を図ることができる。
【００４９】
このように、上述の実施の形態によれば、撮影の際に基準となる輝度基準画像を表示することができると共に、この輝度基準画像を撮影画像と合わせて表示することができるので、画像表示装置の輝度調整やコントラスト調整を簡単かつ精度良く行うことができる。
【００５０】
また、撮影画像と輝度基準画像を比較するだけで、被写体の明るさを判別できるので、照度計や波形モニタを用いることなく、簡単に所望の信号レベルの画像を得ることができる。さらに、輝度基準画像では、様々な輝度レベルが表示されることから、撮影画像上の異なる複数位置の明るさを同時に把握することもできる。
【００５１】
【発明の効果】
この発明によれば、輝度判別の基準となる輝度基準画像と入力画像信号に基づく画像や撮影画像が合わせて表示されるので、入力画像信号に基づく画像や撮影画像表示画像と輝度基準画像を比較することで、明るさを容易かつ精度良く判別できる。
【００５２】
また、入力画像信号や撮影画像信号の信号判別が行われて、判別結果に応じて輝度基準画像の画像信号が生成されるので、入力画像信号や撮影画像信号に基づく画像に対して、信号フォーマットや画像の色に応じた輝度撮影画像を表示させることができる。
【００５３】
また、輝度基準画像と入力画像信号に基づく画像等を合わせた画像を用いて輝度及びコントラストが調整されるので、輝度基準画像を用いてこの調整を行うことにより、画像表示装置間での調整ばらつきを容易に少なくできる。
【００５４】
また、輝度基準画像と入力画像信号に基づく画像等を合わせた画像における所望の輝度領域に、輝度識別画像が重畳されて表示されるので、輝度基準画像上のいずれの表示に輝度識別画像が重畳されているかによって、輝度レベルを把握できると共に、この輝度レベルの領域が画面上でどのように分布しているか把握することができる。
【００５５】
また、入力画像信号に基づく画像等と輝度基準画像との位置関係を変更可能とすることができるので、明るさを判別したい画像の位置と輝度基準画像を近接させることで、明るさを正しく判別できる。
【００５６】
さらに、どのような輝度基準画像を表示させるかの設定情報が記憶手段に記憶されるので、この記憶された設定情報を選択して読み出すだけで所望の輝度基準画像を表示させることができる。
【図面の簡単な説明】
【図１】この発明に係るビデオカメラの構成を示す図である。
【図２】画像表示制御部の構成を示す図である。
【図３】輝度基準画像の一形態を示す図である。
【図４】撮影画像の一部を輝度基準画像に置き換えて表示した場合を示す図である。
【図５】撮影画像全体を表示できるようにした場合を示す図である。
【図６】空き領域を利用して輝度基準画像を左右に表示した場合を示す図である。
【図７】空き領域を利用して輝度基準画像を上下に表示した場合を示す図である。
【図８】輝度基準画像を楕円形状とした場合を示す図である。
【図９】輝度識別画像を重畳させた場合を示す図である。
【図１０】輝度基準画像を撮影画像上で移動可能とした場合を示す図である。
【図１１】撮影画像がカラー画像の場合を示す図である。
【符号の説明】
１０・・・撮像レンズ系、１１・・・本線系ブロック、１２・・・撮像部、１３・・・ＣＤＳ／ＡＧＣ、１４・・・低域フィルタ、１５・・・アンプ、１６・・・Ａ／Ｄ変換器、２０・・・カメラ信号処理部、２５・・・セレクタ、２８・・・カメラ出力処理部、３０・・・モニタ系ブロック、３１・・・画像表示制御部、３５・・・モニタ出力処理部、５０・・・制御部、５１・・・操作部、３１１・・・判別回路、３１２・・・輝度基準信号生成回路、３１３・・・混合回路、３１４・・・輝度／コントラスト調整回路、３１５・・・識別表示信号重畳回路
【図１】
0003927995.tif 000002
【図２】
0003927995.tif 000003
【図３】
0003927995.tif 000004
【図４】
0003927995.tif 000005
【図５】
0003927995.tif 000006
【図６】
0003927995.tif 000007
【図７】
0003927995.tif 000008
【図８】
0003927995.tif 000009
【図９】
0003927995.tif 000010
【図１０】
0003927995.tif 000011
【図１１】
0003927995.tif 000012